(57)【要約】【課題】冷蔵温度帯で食材や調理後の鍋等の急速冷却と、その後の冷蔵温度保存を可能とした冷蔵庫を提供すること。【解決手段】冷蔵室１４に冷蔵室で凍る蓄冷材６５を搭載した蓄冷ユニット６０を設け、温度の高い鍋やヤカン等の対象物７０に対して、蓄冷材の効果を利用した急速冷却を可能とし、さらに棚に冷却風路を併設することによって、冷却風路による貯蔵室の冷却と、蓄冷材を用いた急冷機能の両立を可能とした貯蔵棚を構成した。【選択図】図１１
2020134058.tif 000002
【特許請求の範囲】
【請求項１】
冷蔵室に貯蔵物を置く貯蔵棚を備えた冷蔵庫において、前記貯蔵棚は、冷蔵温度帯で凝固する蓄冷材と、庫内冷却吐出口を有した冷却風路と、を備えたことを特徴とする冷蔵庫。
【請求項２】
貯蔵棚は、冷却風路と蓄冷材の間に断熱部材を備えたことを特徴とする請求項１に記載の冷蔵庫。
【請求項３】
貯蔵棚は、冷却風路の一部に冷却部を備えたことを特徴とする請求項１または２に記載の冷蔵庫。
【請求項４】
貯蔵棚は、上側貯蔵室と下側貯蔵室とを有し、前記上側貯蔵室より前記下側貯蔵室の方が低温であることを特徴とする請求項１〜３のいずれか１項に記載の冷蔵庫。
【請求項５】
蓄冷材は、蓄冷材の外郭を形成する外郭部材とで構成された蓄冷ユニットとしたことを特徴とする請求項１〜４のいずれか１項に記載の冷蔵庫。
【発明の詳細な説明】
【技術分野】
【０００１】
本発明は冷蔵庫に関し、特にその冷蔵室構成に関するものである。
【背景技術】
【０００２】
一般に冷蔵庫は複数の温度帯貯蔵室を持ち、冷凍温度帯貯蔵室において、冷凍温度で凍る蓄冷材を利用した急速冷却の機能を備えているものがある（例えば、特許文献１参照）。
【先行技術文献】
【特許文献】
【０００３】
【特許文献１】特開２０１２−０１７９６８号公報
【発明の概要】
【発明が解決しようとする課題】
【０００４】
上記特許文献１記載の冷蔵庫は、冷蔵温度帯貯蔵室に肉類・魚介類の保存に適した冷蔵温度帯よりも低い温度の低温度貯蔵室が設けられている。しかし、蓄冷材を用いた急冷機能を貯蔵室棚に備える場合、貯蔵室棚内に構成された風路部と蓄冷材が干渉する配置となってしまうため、両機能の両立が困難となってしまうという課題があった。
【課題を解決するための手段】
【０００５】
本発明の冷蔵庫は上記課題を解決するために、冷蔵室温度帯の貯蔵室棚に冷蔵温度で凝固する蓄冷材と貯蔵室を冷却する風路を併設したものである。これによって低温貯蔵室の冷却風路に干渉することなく食品の急速冷却機能を設けることができるようになり、低温度貯蔵室と急速冷却機能の両立が可能となる。
【０００６】
また、貯蔵棚内の冷却風路と蓄冷材の間に断熱手段を設けたことで蓄冷材が過度に冷却され、蓄冷材表面での結露の発生を防止することができる。
【発明の効果】
【０００７】
本発明は上記構成により、冷蔵庫冷蔵室低温度帯室の冷却能力を阻害せずに蓄冷材の冷蔵庫搭載を可能とし、さらに蓄冷材の過冷却による結露の発生を防止することができる。
【図面の簡単な説明】
【０００８】
【図１】本発明の実施の形態１における冷蔵庫の正面図
【図２】同冷蔵庫の内部を示すようにした正面図
【図３】同冷蔵庫の中央縦断面図
【図４】同冷蔵庫の冷蔵室内を示す正面図
【図５】同冷蔵庫の冷蔵室内を示す縦断面図
【図６】同冷蔵庫の冷蔵室内を示す断面斜視図
【図７】同冷蔵庫の冷蔵室内を示す拡大縦断面図
【図８】同冷蔵庫の蓄冷ユニットの斜視図
【図９】同冷蔵庫の蓄冷ユニットの断面図
【図１０】同冷蔵庫の貯蔵棚を示す平面図
【図１１】図１０のＡ−Ａ線における貯蔵棚の段面図
【図１２】図１０のＢ−Ｂ線における貯蔵棚の段面図
【図１３】同冷蔵庫の蓄冷材温度と鍋温度の経時変化を示した図
【図１４】本発明の実施の形態２における冷蔵庫の貯蔵棚を示す平面図
【図１５】図１４のＣ−Ｃ線における貯蔵棚の断面図
【図１６】同冷蔵庫の冷蔵室内を示す断面斜視図
【発明を実施するための形態】
【０００９】
第１の発明は、冷蔵室に貯蔵物を置く貯蔵棚を備えた冷蔵庫において、前記貯蔵棚は、冷蔵温度帯で凝固する蓄冷材と、庫内冷却吐出口を有した冷却風路と、を備えた構成とした。これにより、冷却風路による貯蔵室の冷却と、蓄冷材を用いた急冷機能の両立が可能とした貯蔵棚の構成が可能となる。
【００１０】
第２の発明は、特に第１の発明において、貯蔵棚は、冷却風路と蓄冷材の間に断熱部材を備えた構成とした。これにより、冷却風路を通過する冷気と蓄冷材とを断熱し、冷気が蓄冷材を過度に冷却することと、蓄冷材の熱が冷却風路へ伝達されることを抑制することができ、蓄冷材の冷え過ぎによる結露防止と冷却風路温度上昇による貯蔵室温度影響を防止できる。
【００１１】
第３の発明は、特に第１または第２の発明において、貯蔵棚は、冷却風路の一部に冷却部を備えた構成とした。これにより、冷却風路と蓄冷材の間での熱伝達を促進することで、一度食品の急速冷却を行って融解した蓄冷材の冷却速度を向上し、食品急速冷却機能を再利用できるまでの時間を短縮することができる。
【００１２】
第４の発明は、特に第１〜第３いずれか１つの発明において、貯蔵棚は、上側貯蔵室と下側貯蔵室とを有し、前記上型貯蔵室の温度より前記下側貯蔵室の温度の方が低温である構成とした。これにより、棚の風路によって下側貯蔵室温度を上側貯蔵室温度より低温にできるとともに蓄冷材の下側からも冷却が可能となり、蓄冷材の吸熱量が大きくなることで急冷効果が向上できる。
【００１３】
第５の発明は、特に第１〜第４いずれか１つの発明において、蓄冷材は蓄冷材の外郭を形成する外郭部材とで構成された蓄冷ユニットとした。これにより、蓄冷材の強度を向上させて、鍋などの荷重に耐え、かつ冷却対象と熱交換を行う接触面積を確保すると同時に、これら食品を置いた時の安定感を確保することができる。
【００１４】
以下、本発明の実施の形態について、図面を参照しながら説明する。なお、この実施の形態によって本発明が限定されるものではない。
【００１５】
（実施の形態１）
図１〜図７は冷蔵庫の全体及び各部構成を説明する図、図８〜９は冷蔵室に付設した蓄冷ユニットを説明する図、図１０〜１１は蓄冷ユニット冷却構成を説明する図である。
【００１６】
（１．冷蔵庫の全体構成）
まず図１〜図３を用いて冷蔵庫の全体構成を説明する。図１〜図３において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に発泡充填された発泡断熱材４とで構成してあり、仕切板５、６等によって複数の貯蔵室が仕切形成してある。
【００１７】
また、前記冷蔵庫本体１の各貯蔵室は冷蔵庫本体１と同様の断熱構成を採用した回動式の扉７或いは引出し式の扉８、９、１０、１１で開閉自在としてある。
【００１８】
冷蔵庫本体１内に形成した貯蔵室は、最上部の冷蔵室１４と、冷蔵室１４の下に設けた温度帯切り替え可能な切替室１５及びその横に設けた製氷室１６と、切替室１５及び製氷室１６と最下部の野菜室１７との間に設けた冷凍室１８で構成している。
【００１９】
冷蔵室１４の温度は通常約３℃で、冷蔵保存のために凍らず、また食品の菌の発生を抑制するため１℃〜１０℃としている。野菜室１７は、冷蔵室１４の温度より若干高い約７℃を通常の設定としている。また冷凍室１８は通常約−２０℃で設定されているが、冷凍保存状態向上のために約−３０℃とする場合もある。製氷室１６は、冷凍室１８と近い温度設定であり、また切替室１５は、冷蔵室１４と同等の温度から冷凍室１８と同等の温度まで温度の設定を変化させることができる。
【００２０】
また、冷蔵庫本体１の冷凍室１８背面には冷却室２３が設けてあり、この冷却室２３には冷気を生成する冷却器２４と、冷気を前記各室に供給する冷却ファン２５とが設置してある。
【００２１】
冷却器２４は、圧縮機２７と、コンデンサ（図示せず）と、放熱用の放熱パイプ（図示せず）と、キャピラリーチューブ（図示せず）とを環状に接続して冷凍サイクルを構成しており、圧縮機２７によって圧縮された冷媒の循環によって冷却を行う。
【００２２】
また、冷却ファン２５は冷却器２４の上方に設けてあり、その下流側に連なる冷蔵室ダクト２８、冷凍室ダクト２９、を介して冷蔵室１４、冷凍室１８、野菜室１７等に冷気を供給し、これら各室を冷却するようになっている。
【００２３】
（２．冷蔵室構成）
次に図３〜図７を用いて冷蔵室構成を説明する。
【００２４】
冷蔵室１４は、冷蔵庫本体１の最上部に位置していて、透光性の材料で形成した複数の棚板２０を着脱自在に設けて冷蔵室内空間を上下複数の空間に仕切るとともに、下部に低温貯蔵室２１が設けてある。
【００２５】
冷蔵室１４の背面には冷蔵室ダクト２８が設けてある。この冷蔵室ダクト２８は発泡スチロールからなる断熱部材と冷蔵室側表面の樹脂製カバー部材で覆われた構成としてあり、冷蔵室１４と冷凍室１８との間を仕切る仕切板５の冷気供給口（図示せず）を覆う如く冷蔵室背面に装着して冷却室２３と連通させてある。
【００２６】
冷蔵室ダクト２８は冷蔵室ダクト吐出口３０、と冷蔵室ダクト戻り口３１を備えており、冷却室２３と連通している。冷蔵室ダクト吐出口３０は、冷蔵室ダクト戻り口３１に対し高い配置で構成されている。
【００２７】
上記冷気供給口には冷蔵室ダンパ３７が組み込んであり、この冷蔵室ダンパ３７の開閉によって冷却室２３から冷蔵室１４への冷気の供給量を制御するようになっている。
【００２８】
低温貯蔵室２１はその冷却温度帯が、微凍結保存に適した−５〜３℃の低め温度であるパーシャル温度、または、冷蔵室１４よりも低いがパーシャル室よりは高い１℃前後の高め温度のチルド温度に冷却可能な構成としてある。冷蔵室１４内には、冷蔵室１４内を上下空間に区画する複数の棚板２０の下方で冷蔵室１４と低温貯蔵室２１とを断熱区画する貯蔵棚として、貯蔵棚ユニット５０が設けてある。
（３．貯蔵棚ユニット構成）
次に図７を用いて貯蔵棚ユニット５０の説明をする。低温貯蔵室２１の天面として構成される貯蔵棚ユニット５０は、図７の断面図で示すように以下記載の構成部材を合わせることで、ユニットとして構成されている。
【００２９】
貯蔵棚ユニット５０の上面に食品を貯蔵するための貯蔵棚５１が構成されており、貯蔵棚５１の下面には発泡スチロール等からなる断熱部材５３が組み込んである。これにより貯蔵棚５１と低温貯蔵室２１の間を断熱し、それぞれの貯蔵空間を別個の温度帯にすることができる。
【００３０】
貯蔵棚ユニット５０の上面部には凹部５４が設けられている。凹部５４に対応する断熱部材５３の形状も同様の凹み形状を構成している。
【００３１】
蓄冷ユニット６０は、貯蔵棚ユニット５０に設けられた凹部５４に着脱可能に収納配置されている。収納された蓄冷ユニット６０の上面部は、貯蔵棚５１の上面部と同面になるよう配置されている。
（４．蓄冷ユニット構成）
次に図８〜図９を用いて蓄冷ユニット構成を説明する。
【００３２】
図８に示すように、蓄冷ユニット６０は、上下に分割配置された以下記載の構成部材が合わせることで、ユニットとして構成している。
【００３３】
蓄冷ユニット６０は、樹脂材料系で成型された枠体形状をした上外郭部材６１と、上外郭部材６１の裏側から組み込まれる金属材料等の高熱伝導部材で形成された冷却板６２と、上外郭部材６１と嵌合組立てされる樹脂材料系で成型された下外郭部材６３と、上外郭部材６１外郭の内側と下外郭部材６３外郭の内側との間に金属フィルム等の袋部材６４によって被覆された蓄冷材６５とが組合わさることで、ユニットとして構成されている。また、袋部材６４は、アルミ箔を積層加工したフィルムで形成されている。
【００３４】
具体的には、図９に示すように、冷却板６２の外周部には段差部６２ａを備え、段差部６２ａの上面に上外郭部材６１が重なるように配置され、冷却板６２の上面部と上外郭部材６１とが略同一面となるように構成されている。
【００３５】
冷却板６２は、段差部６２ａを形成したことで、蓄冷ユニット６０の上面部を形成する冷却板６２と上外郭部材６１の上面部とが略同一面となるので、蓄冷ユニット６０を貯蔵棚ユニット５０に収納した時に貯蔵棚５１上面と略同一面でフラットにして収納できるので、冷却板６２からはみ出して鍋等の容器（後述する対象物７０）を置いた場合でも安定して置くことができる。
【００３６】
蓄冷材６５を封入した袋部材６４は蓄冷ユニット６０の内部で冷却板６２のみと接着剤や両面テープなどの接着材で接着されている。
【００３７】
また、液体状態の蓄冷材６５と上外郭部材６１や下外郭部材６３との間には空間部７１が形成されるように構成されている。この空間部７１により、蓄冷材が凝固して体積膨張した状態でも、蓄冷ユニット６０内で冷却板６２への熱伝導は維持しながら、上外郭部材６１や下外郭部材６３への接触による変形を抑制することができる。また、冷却板６２の対向面となる下外郭部材６３に対して袋部材６４を接着していないので袋部材６４の破損を防止することができる。
【００３８】
蓄冷材６５は、冷蔵室の冷蔵温度で凝固する材料を用いており、例えば特開２０１７−００３１８２号公報に記載された材料を使用している。具体的には、第四級アンモニウム塩のクラスレートハイドレートのように冷却によりクラスレートハイドレートを形成する材料の中には、０℃より高い融点（クラスレートハイドレートの分解が始まる温度）を有する材料がある。例えば、テトラブチルアンモニウムブロマイド（ＴＢＡＢ）のクラスレートハイドレートは約５〜１２℃の融点を有するものがある。
【００３９】
袋部材６４に封入されている蓄冷材６５の内部には、金属ウール等の熱伝導促進部材６６が浸漬した構成とし、前記熱伝導促進部材６６は袋部材６４と少なくとも一箇所以上の接触部を有するように螺旋状に収納された状態としてある。
【００４０】
また、蓄冷ユニット６０には食品の最適な設置場所を示す設置位置指示部６７を設けている。
【００４１】
また蓄冷ユニット６０の上面部となる冷却板６２は貯蔵棚５１とは異なる色で形成されているので、急速冷却したい対象食品を貯蔵棚ユニット５０のどの位置に置けばよいかを示すことができる。
【００４２】
（５．蓄冷ユニット冷却構成）
次に図１０〜図１３を用いて蓄冷ユニットの冷却構成を説明する。
【００４３】
蓄冷ユニット６０は、貯蔵棚５１の凹部５４に設置されており、凹部５４の下部には発泡スチロール等からなる断熱部材５３が組み込まれており、低温貯蔵室２１と蓄冷ユニットとの間を断熱している。
【００４４】
凹部５４の側面部には、冷気が流入するダクト風路８０が備わっている。ダクト風路８０はダクト風路入口８１を介して冷蔵室ダクト２８と連通しており、冷蔵室ダクト２８から吹き込む冷気の一部がダクト風路入口８１からダクト風路８０を介してダクト風路吐出口８２より低温貯蔵室２１へと流出する構成となっている。
【００４５】
ダクト風路８０と凹部５４とが接する部位の凹部側には金属材料などの高熱伝導材料で構成された凹部冷却板８４が構成されており、風路外壁と接する状態としてある。
【００４６】
凹部冷却板８４は貯蔵棚ユニット５０の凹部５４の底面や側面に設けられており、また、蓄冷ユニット６０の底部には、蓄冷ユニット６０を支持する底面凸部８５や、底面凹部８６が設けられ、貯蔵棚５１の凹部５４や凹部冷却板８４との間に空間が構成される。
【００４７】
蓄冷ユニット６０の底部の底面凹部８６には、底部冷却板８７が構成されており、底部冷却板８７と凹部冷却板８４とが接触か、またはそれに近い状態で設置されている。
【００４８】
また、外郭部材６０ａを金属材料等の高熱伝導材料で構成する場合には、外郭部材６０ａの表面の温度が底面側まで熱を伝えやすくすることができる。
【００４９】
さらに、外郭部材６０ａの内側には、金属材料等の高熱伝導材料で構成された内部熱伝導手段８８を設けており、外郭部材６０ａ表面の温度が底面側に伝わりやすくしている。
【００５０】
また、貯蔵棚５１の一部分に手の指を挿入できる挿入凹部８３を設けることで、蓄冷ユニット６０を貯蔵棚５１から取り外しやすくでき、蓄冷ユニット６０の外郭部材６０ａに持ち手部８９を設けることで持ち運びし易くしている。挿入凹部８３は、貯蔵棚５１の奥側に配置することで、食品設置時の邪魔にならないようにする。
【００５１】
以上のように構成した冷蔵庫について、以下、その動作と作用効果を説明する。
【００５２】
冷蔵庫は、冷蔵室１４の温度が設定温度より高くなると、圧縮機２７と冷却ファン２５を駆動し、冷却器２４で生成された冷気を、冷却ファン２５の下流側に供給する。
【００５３】
冷却ファン２５の下流側に供給された冷気は、冷蔵室ダクト２８等を介して、冷蔵室１４、野菜室１７、冷凍室１８、低温貯蔵室２１に供給され、各室を冷却する。そして、前記各室への冷気供給はダンパ（図示せず）の開閉によってそれぞれ制御され、冷蔵室１４、野菜室１７、冷凍室１８、低温貯蔵室２１をそれぞれの設定温度に冷却する。
【００５４】
冷却室２３から冷蔵室ダクト２８に供給された冷気は、冷蔵室１４内を循環し、また冷却室２３に戻っていく。この間の庫内温度変化状況については、冷蔵室温度センサ（図示せず）からの出力に基づき、ダンパ開閉によってよって冷気供給量を制御し温度制御が行われる。
【００５５】
冷蔵室内に構成される低温貯蔵室２１は冷蔵室を冷却するダンパと別に構成されたダンパから供給される冷気を貯蔵棚５１の下部に構成されたダクト風路８０から流すことで、冷蔵室内温度より低い温度に維持される。
【００５６】
次に、図１３で、蓄冷ユニットによる急速冷却について説明する。
【００５７】
貯蔵棚ユニット５０に収納配置された蓄冷ユニット６０は、通常、冷蔵室１４内の温度と同じ温度で維持されている。蓄冷ユニット６０の上表面は貯蔵棚５１の表面と同面であるため、蓄冷ユニット６０の大きさを超えるサイズの食品であっても、蓄冷ユニット６０が使用制限を与えることなく自由に使用することができる。
【００５８】
また、冷却板６２に絞り加工することで、冷却板６２の強度が高くなり、蓄冷材６５が相変化に伴って体積変化したときに蓄冷ユニット６０の上表面が変形するのを抑制できる。これにより、鍋等との接触面積を増やし蓄冷ユニットと鍋等との熱交換効率を向上することができ、より急速冷却効果を向上できる。
【００５９】
急速冷却したい状況について述べる。調理後の残った食材を次の食事までの間おいしさと安全性を保持したままで保存したいというニーズは多い。例えば、鍋等の温度の高い食材を夏場の朝に調理し、その後すぐに外出する状況において、そのまま放置してしまうと食品に菌が発生し、夜帰宅したときには食品が傷み食べられなくなる状況などがある。このとき、朝の調理後に急速冷却できればそのような状況の発生を防止することができる。
【００６０】
一般的に食材温度が約２０℃〜５０℃の温度帯のときに食中毒菌が発育し易い温度帯と言われている。この温度帯を早く通過させることで菌の発生を抑制し安全性を確保することができる。
【００６１】
食材を調理し料理が残った状態の鍋や、冷め切っていない沸かしたお茶が入ったヤカン、作り立てのお弁当等、温度の高い状態の対象物７０（約４０℃〜９０℃）を、蓄冷ユニット６０の冷却板６２の上面に置く。
対象物７０は、冷却板６２と袋部材６４と熱伝導促進部材６６を介して、蓄冷材６５と熱交換を行うことで対象物７０を急速冷却することができる。蓄冷材は潜熱１００Ｊ／ｇ以上、過冷却深度も加味し０℃以上で凝固し、融点１０℃以下の材料を用いることで急速冷却の効果を確保する。
【００６２】
図１３は、常温の蓄冷材６５を冷蔵室１４内の所定位置に収納した時点からの温度変化を示す。蓄冷材６５は、前述の材料で、凝固点が例えば５℃、融点は例えば７℃の材料を用いている。冷蔵室温度が約３℃の場合、蓄冷材６５は冷蔵室温度近傍まで過冷却深度となって過冷却し、過冷却解除後に凝固し始め、凝固点の５℃まで上昇した後、蓄冷材６５は冷蔵室温度で固体となった状態で維持している。
【００６３】
対象物７０である鍋を凝固した蓄冷ユニットに設置した後、蓄冷材６５の温度が上がるが、対象物７０の温度が約２０℃〜５０℃の温度帯を通過する時に蓄冷材の潜熱を使うので、この温度帯を早く通過することができ、蓄冷材の潜熱効果により融解温度（７℃）付近で一旦温度が安定する。その後、潜熱を使った後、再び温度が上昇し融解する。この融解までの過程によって、対象物の温度を急速に冷蔵室温度まで冷却することができる。
【００６４】
蓄冷材６５の潜熱を有効的に利用することで冷却スピードを速めることができる。そのためには対象物７０の熱を蓄冷材６５内全体にすばやく伝え、蓄冷材６５全体で熱交換を行える状況にする必要がある。
【００６５】
熱伝導促進部材６６は、銅やアルミ材料をウール状に形成されたものであり、袋部材６４内全体に広がるようにして袋部材６４にも接触する程度の量を設置してある。これによって冷却板６２から離れた位置にある蓄冷材６５においても、有効的に活用することができる。
【００６６】
温度の高い対象物７０が冷蔵室１４に投入されると、冷蔵室温度センサ（図示しない）が冷蔵室１４内の温度上昇を感知し、ダンパ開閉の制御を行い冷蔵室ダクト２８から吐出される冷気の供給を増やすことで、蓄冷ユニット６０と相乗的な急冷効果を得ることができ、冷却スピードをより速くすることができる。
【００６７】
対象物７０と熱交換をした後の蓄冷材６５は、融解した状態となっており冷蔵室１４の温度よりも高い状態となっている。これによる周辺食材、特に蓄冷ユニット６０が設置される下側の低温貯蔵室２１への温度影響を抑制するために、蓄冷ユニット６０が埋設する貯蔵棚ユニット５０に設けられた凹部５４の下側を、通常から低い温度帯にするとともに、発泡スチロール等からなる断熱部材５３を組み込むことで、その温度影響を抑制することができる。
【００６８】
また蓄冷材６５の凝固点が５℃なので、冷蔵室温度（約３℃）より高く冷蔵室１４内に入れた状態で凝固するので、蓄冷ユニット６０は取り出すことなく、冷蔵室１４内に入れたままで使うことができる。
【００６９】
また、蓄冷材６５の融点を１０℃以下にすることで、周辺食材の温度上昇も１０℃以下に抑えることが可能となる。これにより急速冷却の対象食品だけでなく周辺食材においても、菌の繁殖を抑制する理想的な保存温度１０℃以下を実現できる。
【００７０】
また、温度の高い対象物７０は、急速冷却効果を得るためには、冷蔵室１４の冷却板６２の上面に置く必要があり、蓄冷ユニット６０に設置場所を示す刻印やシールなど設置位置指示部６７設けている。
【００７１】
例えば冷却板６２に小さな凹で円形状のマークや文字刻印、ロゴ等を設けたり、上外郭部材６１に刻印やシール等で機能を説明するなどの表示を設けたりしている。冷却板６２に小さな凹を刻印することにより、鍋等との接触面積の減少を最小限に抑えることができるだけでなく、冷却板６２の強度をさらに高め平面度を向上させ熱交換効率を向上させる効果も得られる。
【００７２】
製品設置後の初期運転時や、温度の高い状態の対象物７０の急速冷却後、融解してしまった蓄冷材６５を再使用可能な状態に素早く復帰させるために蓄冷ユニット６０の専用冷却手段を設け、蓄冷材６５の復帰速度を向上させる。
【００７３】
凹部５４の側面部には、冷蔵室ダクト２８から冷気が流入するダクト風路８０が備わっている。冷蔵室ダクト２８から吹き込む冷気の一部がダクト風路入口８１に入り込み、ダクト風路８０を通過してダクト風路吐出口８２より低温貯蔵室２１へと流出し、低温貯蔵室２１を冷却する。
【００７４】
ダクト風路８０は断熱部材で構成されており、外部より熱が侵入したり、冷気が外部へ漏れたりすることはないが、凹部５４と隣接しているダクト風路８０を覆う断熱部材の部分は薄くなっており、凹部５４側は金属材料などの高熱伝導材料で構成された凹部冷却板８４と接していて、ダクト風路８０を通過する冷気が低温貯蔵室２１を冷却する際にあわせて凹部冷却板８４を冷却する。
【００７５】
ダクト風路吐出口８２からの冷気は冷蔵室ダンパ３７の開閉によって、吐出量や時間を調節され、蓄冷材６５と低温貯蔵室２１との状態に応じた冷却を行うことができる。
【００７６】
また、凹部冷却板８４は凹部５４の側面から底面へ繋がるように構成されることで、凹部冷却板８４の熱伝導効果により、凹部５４底面側の冷却効果を高めることができる。さらに、蓄冷ユニット６０の底部の底面凹部８６に設置された底部冷却板８７は、凹部冷却板８４と接触した状態で配置されることで、凹部冷却板８４の熱が直接伝わることになり、蓄冷ユニット６０の底部の冷却速度を早めることができる。
【００７７】
また、外郭部材６０ａの内側に構成された内部熱伝導手段８８は、蓄冷ユニット６０内部で、表面側と底面側の温度差を抑制し、表面側で冷却された熱を底面側へより早く伝えることで、蓄冷材６５を短時間で凝固させることができる。
【００７８】
内部熱伝導手段８８は、冷却板６２と接触させることで、冷却効果を高めることができ、さらに、内部熱伝導手段８８と冷却板６２が一体化されることで熱伝導効果をより向上させることができる。
【００７９】
また、蓄冷材６５の融解や凝固状態を温度等によって感知するセンサーを設けることによって、ダンパ開閉の制御を行い冷蔵室ダクト２８から吐出される冷気の供給を調整し、蓄冷材６５の凝固時には速度を向上させることができる。
【００８０】
以上のように、蓄冷ユニット６０の専用冷却手段を設けたことで、初期の融解した蓄冷材の凝固までの時間短縮と、使用後の再凝固までの時間短縮による繰り返し使用時における効果を確保ができ、使用頻度を高めることができる。
【００８１】
（実施の形態２）
図１４は、本発明の実施の形態２における冷蔵庫の貯蔵棚ユニット５０を示す平面図である。図１５は、図１４のＣ−Ｃ線における貯蔵棚ユニット５０の断面図である。なお、実施の形態１と同一部分は同一符号を付与して説明を省略し、異なる部分を中心に説明する。
【００８２】
図１４において、蓄冷ユニット６０は、貯蔵棚ユニット５０の下部に組み込まれた断熱部材凹部９０上に設置され、蓄冷ユニット６０が貯蔵棚５１と断熱部材凹部９０に密閉されるかたちで構成されることによって、汚れの侵入を防ぐことができ蓄冷ユニット６０を清潔に保つことができる。
【００８３】
蓄冷ユニット６０の上面は貯蔵棚５１の下面と接する構成となっており、冷蔵室空間と空間９１との間を断熱する効果も持つ。蓄冷ユニット６０の底面は底面凸部８５を介して断熱部材凹部９０と接している。その結果、蓄冷ユニットと断熱部材の間には冷気が通過する空間９１が存在する。
【００８４】
断熱部材凹部９０は蓄冷ユニット６０を断熱部材で覆う形で構成されているが、側面部の一部に、ダクト風路８０から冷気が流入するダクト風路入口８１とダクト風路吐出口８２が備わっている。冷蔵室ダクト２８から吹き込む冷気の一部はダクト風路入口８１から空間９１を介してダクト風路吐出口８２へ流れ、ダクト風路８０を流れる冷気と合流してダクト風路吐出口８２より低温貯蔵室２１へと流出する構成となっている。
【００８５】
以上のように構成された冷蔵庫について、以下その動作・作用を説明する。なお、実施の形態１と同様である動作・作用についての説明は省略する。
【００８６】
製品設置後の初期運転時や、温度の高い状態の対象物７０の急速冷却後、融解してしまった蓄冷材６５を再使用可能な状態に素早く復帰させるために蓄冷ユニット６０の専用冷却手段を設け、蓄冷材６５の復帰速度を向上させる。
【００８７】
断熱部材凹部９０の側面の一部に構成された冷気が流入するダクト風路入口８１からダクト風路８０を通過している低温冷気の一部が断熱部材凹部９０内の空間９１に流入する。流入した低温の冷気は蓄冷ユニット６０を冷却し蓄冷材６５を短時間で凝固させることができる。
【００８８】
断熱部材凹部９０内では蓄冷材が優先的に冷やされるため、蓄冷材は貯蔵棚５１と空間９１との間の断熱も果たしている。
【００８９】
また、蓄冷材６５の融解や凝固状態を温度等によって感知するセンサーを設けることによって、ダンパ開閉の制御を行い冷蔵室ダクト２８から吐出される冷気の供給を調整し、蓄冷材６５の凝固時には速度を向上させることができる。
【００９０】
また、温度の高い対象物７０が急速冷却効果を得るためには、対象物７０を冷蔵室１４の貯蔵棚５１の上面に置く必要があり、蓄冷ユニット６０に設置場所を示す刻印やシールなど設置位置指示部６７を貯蔵棚５１に設けている。指示部の内容は、例えば小さな凹で円形状のマークや文字刻印、照明、ロゴを設ける、シール等で機能を説明したりするなどが考えられる。
【００９１】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００９２】
本発明は、冷蔵温度帯で低温保存したい多様な食材を最適状態もしくはより最適な状態で冷却保存でき、食材の多様化に対応した使い勝手の良い冷蔵庫とすることができる。よって、家庭用および業務用など様々な種類および大きさの冷蔵庫に適用することができる。
【符号の説明】
【００９３】
１  冷蔵庫本体
２  外箱
３  内箱
４  発泡断熱材
５、６  仕切板
７、８、９、１０、１１  扉
１４  冷蔵室
１５  切替室
１６  製氷室
１７  野菜室
１８  冷凍室
２０  棚板
２１  低温貯蔵室
２３  冷却室
２４  冷却器
２５  冷却ファン
２８  冷蔵室ダクト
２９  冷凍室ダクト
３０  冷蔵室ダクト吐出口
３１  冷蔵室ダクト戻り口
５０  貯蔵棚ユニット
５１  貯蔵棚
５３  断熱部材
５４  凹部
６０  蓄冷ユニット
６１  上外郭部材
６２  冷却板
６３  下外郭部材
６４  袋部材
６５  蓄冷材
６６  熱伝導促進部材
６７  設置位置指示部
７０  対象物
８０  ダクト風路
８１  ダクト風路入口
８２  ダクト風路吐出口
８３  挿入凹部
８４  凹部冷却板
８５  底面凸部
８６  底面凹部
８７  底部冷却板
８８  内部熱伝導手段
８９  持ち手部
９０  断熱部材凹部
【図１】
2020134058.tif 000003
【図２】
2020134058.tif 000004
【図３】
2020134058.tif 000005
【図４】
2020134058.tif 000006
【図５】
2020134058.tif 000007
【図６】
2020134058.tif 000008
【図７】
2020134058.tif 000009
【図８】
2020134058.tif 000010
【図９】
2020134058.tif 000011
【図１０】
2020134058.tif 000012
【図１１】
2020134058.tif 000013
【図１２】
2020134058.tif 000014
【図１３】
2020134058.tif 000015
【図１４】
2020134058.tif 000016
【図１５】
2020134058.tif 000017
【図１６】
2020134058.tif 000018